(57)【要約】本発明は、ブーツ（２）とブーツ受容プレート（４）を含むスノーボード用のバインディングシステムであって、該ブーツ受容プレート（４）は少なくとも１つのエンゲージメントエレメント（６）を有し、該ブーツ（２）は少なくとも１つのブーツグリッピングエレメント（３）を有し、ある特定のあるいは各ブーツグリッピングエレメント（３）およびある特定のあるいは各エンゲージメントエレメントが、柔軟な互いのコ−エンゲージメントのために操作可能である、バインディングシステムを提供する。
2004533291.tif 000002
【特許請求の範囲】
【請求項１】
ブーツとブーツ受容プレートを含むスノーボード用のバインディングシステムであって、該ブーツ受容プレートは少なくとも１つのエンゲージメントエレメントを有し、該ブーツは少なくとも１つのブーツグリッピングエレメントを有し、ある特定のあるいは各ブーツグリッピングエレメントおよびある特定のあるいは各エンゲージメントエレメントが、柔軟な互いのコ−エンゲージメントのために操作可能である、バインディングシステム。
【請求項２】
バインディングシステムが、第１および第２のブーツグリッピングエレメント、および第１および第２のエンゲージメントエレメントを有する、請求項１記載のバインディングシステム。
【請求項３】
第１および第２のブーツグリッピングエレメントが、どちらもブーツの上に提供される、請求項２記載のバインディングシステム。
【請求項４】
第１および第２のエンゲージメントエレメントが、ブーツ受容プレート上に提供される、請求項２または３記載のバインディングシステム。
【請求項５】
第１および第２のブーツグリッピングエレメントが、プーツのどちらかの側に位置する、請求項２から４のいずれか１項記載のバインディングシステム。
【請求項６】
バインディングシステムが、ブーツのトウセクションをブーツ受容プレートに固定する手段を有する、請求項１から５のいずれか１項記載のバインディングシステム。
【請求項７】
第１のブーツグリッピングエレメントおよび第１のエンゲージメントエレメントは互いに、ブーツプレートの上に異なるブーツ高さで少なくとも２つのバインディンググリッピング位置を提供するように配置される、請求項２から６のいずれか１項記載のバインディングシステム。
【請求項８】
第２のブーツグリッピングエレメントおよび第２のエンゲージメントエレメントは互いに、ブーツ受容プレートの上に異なるブーツ高さで少なくとも２つのバインディンググリッピング位置を提供するように配置される、請求項２から７のいずれか１項記載のバインディングシステム。
【請求項９】
ブーツ受容プレートの上に少なくとも２つのバインディンググリッピング位置を提供する手段が、それぞれのブーツグリッピングエレメントとエンゲージメントエエレメントの間にバインディングを提供するように操作可能なラチェット手段を含む、請求項７または８記載のバインディングシステム。
【請求項１０】
ラチェット手段はエンゲージングメンバー、およびラックを含み、該ラックはその間にスペースを有する複数の歯を含み、それぞれの空間がエンゲージングメンバー受容位置を提供する、請求項９記載のバインディングシステム。
【請求項１１】
ラックおよびエンゲージングメンバーが、それぞれの表面が第１の方角では互いの上を滑るように操作可能で、第１の方向と反対の方角ではロックするように操作可能であるように設計された、請求項１０記載のバインディングシステム。
【請求項１２】
ブーツグリッピングエレメントの外側表面が、ブーツに取り付けられているかまたはブーツと一体になっているラックを含む、請求項１０または１１記載のバインディングシステム。
【請求項１３】
エンゲージングメンバーが、ブーツ受容プレートに取り付けられているかまたはブーツと一体になっている、請求項１０から１２のいずれか１項記載のバインディングシステム。
【請求項１４】
ラックはブーツから遠ざかって伸び、本質的にブーツ受容プレートの方へ、そして垂直に伸びる、請求項１０から１３のいずれか１項記載のバインディングシステム。
【請求項１５】
ラックの歯が、ブーツ受容プレートと本質的に平行に伸びる、請求項１０から１４のいずれか１項記載のバインディングシステム。
【請求項１６】
エンゲージメントエレメントはエンゲージングメンバーを含み、２つのサポートの間でブーツ受容プレートと本質的に平行に支持され、該サポートはブーツ受容プレートから本質的に離れて、それに対して垂直に伸びる、請求項１０から１５のいずれか１項記載のバインディングシステム。
【請求項１７】
エンゲージメントバーは本質的にサポートから内側に伸び、一般にラックの方向に伸びる、請求項１６記載のバインディングシステム。
【請求項１８】
ある特定のあるいは各エンゲージメントエレメントが柔軟である、請求項１から１７のいずれか１項記載のバインディングシステム。
【請求項１９】
ある特定のあるいは各ブーツグリッピングエレメントが柔軟である、請求項１から１８のいずれか１項記載のバインディングシステム。
【請求項２０】
ブーツグリッピングエレメントの外側表面がラックを含む、請求項１０から１９のいずれか１項記載のバインディングシステム。
【請求項２１】
ラックは強剛な材料を含み、該材料は適当な手段によってブーツの下側へ固定される、請求項１０から２０のいずれか１項記載のバインディングシステム。
【請求項２２】
ブーツグリッピングエレメントがキャビティーを含み、該キャビティーは本質的にラックの後ろに位置する、請求項１から２１のいずれか１項記載のバインディングシステム。
【請求項２３】
キャビティーが柔軟性を提供する、請求項２２記載のバインディングシステム。
【請求項２４】
キャビティーが実質的に空である、請求項２２または２３記載のバインディングシステム。
【請求項２５】
バインディングシステムは少なくとも１つのバインディングリリース機構を含む、請求項１から２４のいずれか１項記載のバインディングシステム。
【請求項２６】
ある特定のあるいは各エンゲージメントエレメントの各々は、所望によりバインディングシステムを解放するように操作可能なバインディングリリース機構を含む、請求項２５記載のバインディングシステム。
【請求項２７】
バインディングリリース機構はエンゲージメントエレメントにピボット可能にリンクされるレバーリングメンバーを含む、請求項２５または２６記載のバインディングシステム。
【請求項２８】
レバーリングメンバーが、ブーツグリッピングエレメントが柔軟な場合にはブーツグリッピングエレメントに、またはエンゲージメントエレメントが柔軟な場合にはエンゲージメントエレメントに、噛み合わせるように操作可能なレバーである、請求項２７記載のバインディングシステム。
【請求項２９】
レバーリングメンバーはピボット可能に隣接するエンゲージメントバーに支持され、およびユーザーからのレバーの第１の端への下方への圧力の適用により、旋回回転を引き起こし、レバーリングメンバーの第２の端がブーツグリッピングエレメントと噛み合う、請求項２７または２８記載のバインディングシステム。
【請求項３０】
バインディングリリース機構は、本質的にバインディングシステムから離れてあり、遠隔作動することができる、請求項２５から２９のいずれか１項記載のバインディングシステム。
【請求項３１】
遠隔バインディングリリース機構は、ある特定のあるいは各ブーツグリッピングエレメントからある特定のあるいは各エンゲージメントエレメントのエンゲージメントを同時に開放する様に操作可能である、請求項３０記載のバインディングシステム。
【請求項３２】
離れて置かれたバインディングリリース機構が使用される時、エンゲージメントエレメントは、本質的に強剛なエンゲージングメンバーを含み、それは標準状態の下でブーツグリッピングエレメントを噛み合わせ、さらに十分に弾力があり、ユーザーからのディスエンゲージメント力の適用の際にブーツグリッピングエレメントから離れるように操作可能である、請求項３０または３１記載のバインディングシステム。
【請求項３３】
リリース機構が引っ張り手段を含む、請求項２５から３２のいずれか１項記載のバインディングシステム。
【請求項３４】
引っ張り手段が第１と第２のエンドを有するケーブルを含む、請求項３３記載のバインディングシステム。
【請求項３５】
ケーブルの第１の端がエンゲージメントエレメントの後部に確保され、第２の端へ力を適用すると、ラックからエンゲージメントバーが引かれ、はずされるようにする、請求項３４記載のバインディングシステム。
【請求項３６】
エンゲージメントエレメントは、エンゲージメントバーから離れて伸びるフランジを含み、該フランジは本質的にエンゲージングメンバーに垂直に伸びるスロットを有する、請求項１０から３５のいずれか１項記載のバインディングシステム。
【請求項３７】
ケーブルの第１の端は強剛なロッドを有し、該ロッドはフランジ中の前記スロットを通る、請求項３６記載のバインディングシステム。
【請求項３８】
ケーブルの第２の端がブーツの上に置かれる、請求項３４から３７のいずれか１項記載のバインディングシステム。
【請求項３９】
ケーブルはブーツ内に本質的に含まれている、請求項３４から３８のいずれか１項記載のバインディングシステム。
【請求項４０】
ケーブルの第２の端がハンドル手段を含む、請求項３４から３９のいずれか１項記載のバインディングシステム。
【請求項４１】
ハンドル手段は、ブーツの後ろに提供され、それにより、ハンドルはブーツの後ろの異なる高さで維持されることができる、請求項４０記載のバインディングシステム。
【請求項４２】
前記手段は、ブーツの後部の上に垂直方向に離れてと離れておかれた複数のフッキング手段を含み、その上にハンドルを固定することができる、請求項４１記載のバインディングシステム。
【請求項４３】
ブーツが、さらにブーツのリーンを調節する手段を含む、請求項１から４２のいずれか１項記載のバインディングシステム。
【請求項４４】
前記調節手段は上部ヒールセクション、および下部ヒールセクションを有し、上部ヒールセクション、および下部ヒールセクションの相対的な位置が、ヒンジの周囲に調整可能である、請求項４３記載のバインディングシステム。
【請求項４５】
調節はラチェットによって操作可能であり、該ラチェットは、ブーツ受容プレートに、本質的に垂直な平面のまわりに調節可能であり、それにより上部および下部ヒールセクションの相対的なポジショニングを許容し、かつ、ブーツのリーンをヒンジの周りで変える、請求項４４記載のバインディングシステム。
【請求項４６】
以下の工程を含む、ブーツをブーツ受容プレートにバインディングする方法：
（ｉ）第１の態様によるバインディングシステムを提供すること；
（ｉｉ）ブーツを、ある特定のあるいは各ブーツグリッピングエレメントがある特定のあるいは各対応するエンゲージングエレメントによって噛み合わせられるように配置すること；そして
（ｉｉｉ）ある特定のあるいは各ブーツエンゲイジエレメントが、ある特定のあるいは各ブーツグリッピングエレメントと所定の位置でロックするまで、ブーツ受容プレートの方へブーツを下へ押すこと、そこでは多数のロック位置が、ブーツ受容プレートの上の異なる高さで前記下方への移動の間に提供される。
【請求項４７】
以下の工程を含む、ブーツ受容プレートからブーツを解放する方法：
（ｉ）システムが遠隔のリリース機構をさらに含み、該機構はある特定のあるいは各エンゲージメントエレメントに付けられた引っ張り手段を含む、第１の態様にかかるバインディングシステムを提供すること；および
（ｉｉ）  引っ張り手段を引き、ある特定のあるいは各エンゲージメントエレメントがブーツグリッピングエレメントからはずれ、それによりブーツがバインディングシステムから取り除かれることを許容されるようにすること。
【発明の詳細な説明】
【技術分野】
【０００１】
本発明はバインディングシステムに関する。そして、特に、排他的でなく、スノーボード、ダウンヒルスキーあるいはクロスカントリー用スキーでの使用のためのバインディングシステムに関する。
【０００２】
スノーボードは世界中で非常にポピュラーになったスポーツである。これらのスポーツはそれ自身、スノーボーダー（「ライダー」と呼ばれる）がスノーボード上に立っている態様で、ボードへ人の足を固定することを含んでいる。ライダーがスロープを下る時にボードをコントロールすることができる。
【０００３】
ボードに固定された時、ライダーは多くの動的で強力な動きを行なうことができる。多くの基準を満たすためにスノーボードバインディングに要求がされる。これらの条件中の安全性は非常に重要である。また、自己リリースではないほとんどの既存のスノーボードバインディングへの共通のものである。それは、衝撃あるいは衝突のような他の系外因子ではなくライダーだけが、スノーボードをするときにバインディングのリリースを始めるべきである。これは依然として残っている基本的な要求である。その後、コントロールの問題が考察の要因になる。ターンするかまたは動きを行なう場合、ライダーは、必要な力を生成するためにスノーボードのエッジおよび速度を使用する。スノーボードによってこのエッジコントロールを獲得するために、ライダーはトウサイドおよびヒールサイドエッジに動圧を印加しなければならない。したがって、ボードの上のライダーの足の前方・後方の回転の安全な支持がなければならない。これらの基礎的要素は、スノーボードバインディングの目標を構成する。
【０００４】
市場にはスノーボードバインディングの多くの設計がある。しかしながら、最も一般的なものは革ひもおよびバックルバインディングである。このバインディングは、通常柔軟なスノーボードブーツ向けであり、革ひもとバックルの配置によりバインディングへブーツを確保することにより作用する。これらのバインディングは、さらに一般にハイバックと呼ばれる、ヒールおよび足首を支持する構造を有する。このハイバックは、ヒールエッジターンを行なう場合、力を伝達することができる安定構造を作成する。
【０００５】
そのようなバインディングは一般にマニュアルバインディングと呼ばれる。マニュアルバインディングは、ユーザのためのある欠点を持っている。そのような１つの欠点は、ひもで締めて、またバインディングからブーツを解放するという反復の行為に関わる不便である。そのような方法は全く厄介で、時間を消費するものである。ひもで締めて、またブーツの解放に要する時間は、典型的なスノーボードセッションの大部分を構成することができる。しばしば手袋をはめた手によってこれらのバインディングを調節し固定するために絶えずバインディングの上へ屈まなければならないという行為は、器用さが減少しているために、さらに複雑さを生ずる。
【０００６】
特に傾いた斜面上にいる場合、バインディングおよびリリース方法はさらに厄介で不安定な位置にライダーを置く。これは、通常、それらの革ひもバインディンを調節し、手入れをする間に、ライダーがしばしば寒い雪に座るようにしてしまう。
【０００７】
これらの課題を解決するために、バインディングへブーツを確保するために様々なメカニズムおよびアセンブリーを使用する、踏み込み式ビンディングが考案された。踏み込み式ビンディングの基礎的なアプローチは、マニュアルバインディングと異なり、手によって固定することあるいは活性化を要求しないものである。製造者がスノーボードへソフトブーツを噛み合わせる迅速で容易な方法の重要性を悟るとともに、踏み込み式ビンディングのエリアは成長した。しかしながら、現在の踏み込み式ビンディングは、環境およびそれらが使用されるか操作される方法によって欠点を有する。メカニズムとアセンブリーを詰まらせる雪の問題は、マニュアルおよび踏み込み式ビンディングの両方のエンゲージメントおよび固定を妨げる。噛み合わせをすることができる前に、雪が詰まった踏み込み式ビンディングがきれいにされなければならない。ジャンプ、衝撃および運動からの多くの外部の力にさらされる踏み込み式ビンディングメカニズムは、しばしば、偶然にリリースする場合がある。これらの要因は、安全性と便宜上の問題を引き起こし、踏み込み式ビンディングにおいてこれらを減少することを目標として長い時間および努力が要求された。
【０００８】
本発明の実施態様の１つの目標は、上記の課題を解決し、雪が存在してもよく、スノーボードバインディングのエンゲージメントまたは安全性を制限しないことを可能にする踏み込み式ビンディングシステムを提供することである。本発明のさらなる目的は、単純で便利なエンゲージおよびリリースシステムを提供するスノーボードバインディングの提供である。本発明のさらなる目的は、外部の力によって引き起こされた偶然のリリースに対して噛み合わせ位置を確保する手段を提供することである。本発明のさらなる目的は、ライダーの足／ブーツにスノーボード中に適切な安定および支持を供給し、またトウサイドおよびヒールサイドターンの両方に対する優れたコントロールを提供することである。簡単にはけること、およびライダーのかみ合わされたブーツを容易に脱げることはまた発明のさらなる目的である。
【０００９】
本発明の第１の態様によれば、ブーツとブーツ受容プレートを含むスノーボードのためのバインディングシステムであって、該ブーツ受容プレートは少なくとも１つのエンゲージメントエレメントを有し、該ブーツは少なくとも１つのブーツグリッピングエレメントを有し、ある特定のもしくはそれぞれのブーツグリッピングエレメント、およびある特定のもしくはそれぞれのエンゲージメントエレメントは、柔軟なそれぞれのコ−エンゲージメントのために操作可能であるバインディングシステムが提供される。
【００１０】
ブーツ固定が重要な要求である場合、ブーツ受容プレートは、スノーボード、ダウンヒルスキー、またはクロスカントリー用スキー、あるいは他の装置に固定されることができる。好ましくは、バインディングシステムはステッピングバインダーシステムである。
【００１１】
好ましくは、バインディングシステムは、第１および第２のブーツグリッピングエレメント、そして、好ましくは第１および第２のエンゲージメントエレメントを含む。好ましくは、第１と第２のブーツグリッピングエレメントは、両方ともブーツ上に提供される。好ましくは、第１と第２のエンゲージメントエレメントはブーツ受容プレート上に提供される。
【００１２】
ブーツはヒールとトウのセクションを含むことができる。好ましくは、第１と第２のブーツグリッピングエレメントはブーツのどちらかの側、好ましくはブーツのヒールの一方の側に置かれる。好ましくは、第１と第２のエンゲージメント手段は、第１と第２のブーツグリッピングエレメントに対応するブーツプレート上の位置に配置される。
好ましくは、バインディングシステムは、ブーツ受容プレートへのブーツのトウセクションの固定のための手段を含む。好ましくは、トウセクションは、それを通って伸びるキャビティーを含む。好ましくは、棒が前記キャビティーを横切って本質的に伸びる。好ましくは、ブーツ受容プレートは、本質的に上方へそこから伸びるフッキング手段を含み、該フッキング手段は前記バーの周りでフックし、それによりブーツ受容プレートへブーツのトウセクションを固定する。
【００１３】
好ましくは、第１のブーツグリッピングエレメントおよび第１のエンゲージメントエレメントは相互に、ブーツプレートの上の異なるブーツ高さで少なくとも２つのバインディンググリッピング位置を提供するようにされる。
【００１４】
より好ましくは、第２のブーツグリッピングエレメントおよび第２のエンゲージメントエレメントは相互に、ブーツ受容プレートの上の異なるブーツ高さで少なくとも２つのバインディンググリッピング位置を提供するようにされる。
【００１５】
有利に、ブーツを横切る２つの位置でのブーツ受容プレートの上の異なるブーツ高さの少なくとも２つのバインディンググリッピング位置の規定は、ライダーのスノーボード中の足／ブーツの安定性および支持を改善する。雪のような障害物が、ブーツ受容プレートとブーツの底部の間に位置しても、第１と第２のブーツグリッピングおよびエンゲージメントエレメントは、依然として、ブーツ受容プレートの上の第１の高さでブーツをスノーボードに固定することができる。障害物が移動されると、ブーツは自動的にブーツ受容プレートの方へさらに下方へすすみ、ブーツ受容プレートの上の第２のより低い高さでポジションを維持することができる。
【００１６】
好ましくは、ブーツ受容プレートの上の少なくとも２つのバインディンググリッピング位置を提供するための手段は、それぞれのブーツグリッピングエレメントとエンゲージングエレメントの間のバインディングを提供するために操作可能なラチェット手段を含む。
【００１７】
好ましくは、ラチェット手段はブーツ受容プレートの上に異なるブーツ高さの３つ以上のバインディング位置を含む。好ましくは、ラチェット手段は、エンゲージングメンバー、およびラックを含み、該ラックはスペースをその間に有する複数の歯を含み、それぞれのスベースはエンゲージングメンバーを受容する位置を提供する。好ましくは、任意に前記複数のブーツ高さのうちの１つでブーツを固定するために、ブーツプレートの上の複数のブーツ高さでエンゲージングメンバーとラックが噛み合う。
【００１８】
好ましくは、それぞれの表面が第１の方角に互いの上に滑るように操作可能で、第１の方向の反対の方角にロックするように操作可能なように、ラックおよびエンゲージングメンバーが設計されている。
【００１９】
好ましくは、ラックおよびエンゲージングメンバーによって提供される歯の受容位置は、ブーツがブーツ受容プレートの方へ推進されるときに、互いの上に滑るように操作可能である。好ましくは、また、有利に、複数の任意のグリッピング位置はブーツがブーツ受容プレートの上にロックされるようにされ、それによりブーツがブーツ受容プレートから遠ざかって推進されるのを防ぐ。
【００２０】
好ましくは、ブーツグリッピングエレメントの外面は、ラックを含み、該ラックは好ましくはブーツに付着しているか、またはブーツと一体になっている。好ましくは、エンゲージメントバーであることができるエンゲージングメンバーは、ブーツ受容プレートに付着しているか、またはブーツと一体になっている。
【００２１】
好ましくは、ラックはブーツから遠ざかって伸び、本質的にブーツ受容プレートの方へ、そして垂直に伸びる。好ましくは、ラックの歯は本質的にブーツ受容プレートと平行に伸び、好ましくは、ブーツから遠ざかって伸びる。
【００２２】
好ましくは、ラックの歯はエンゲージングメンバーとかみ合うように配置される。好ましくは、エンゲージメントエレメントはエンゲージングメンバーを含み、該エンゲージングメンバーは好ましくは、２つのサポートの間のブーツ受容プレートと本質的に平行に支持され、該サポートはブーツ受容プレートと実質的に離れて、かつ垂直に伸びる。好ましくは、エンゲージメントバーがサポートから実質的に内側に伸び、そして好ましくは一般にラックの方向へ伸びる。
【００２３】
ある特定の、あるいは各エンゲージメントエレメントは柔軟であることができる。別法として、あるいはさらに、ある特定のあるいは各ブーツグリッピングエレメントは柔軟であることができる。しかしながら、好ましくは、ある特定のあるいは各ブーツグリッピングエレメントは柔軟であり、ある特定のあるいは各エンゲージメントエレメントは本質的に強剛である。しかしながら、好ましい実施態様の組み合わせも可能である。例えば、第１のブーツグリッピングエレメントは柔軟であり、そして第１のエンゲージメントエレメントは強剛であり、そして第２のブーツグリッピングエレメントは強剛であり、そして第２のエンゲージメントエレメンは柔軟であることができる。好ましくは、ブーツグリッピングエレメントの外面は、ラックを含む。ラックは、好ましくは強剛な材料を含み、該材料は好ましくは、適当な手段によってブーツの下側へ固定される。好ましくは、ブーツグリッピングエレメントがさらにキャビティーを含み、該キャビティーは、好ましくは、本質的にラックの後ろに位置する。好ましくは前記キャビティーは前記の柔軟性を提供する。
【００２４】
キャビティーは本質的に空であることができる。好ましくは、キャビティーは、柔軟なエラストマー材料を含み、それはエンゲージメントおよび／またはエンゲージメントエレメントからのディスエンゲージメントの際にラックによって圧縮される。有利に、ラックは、エンゲージメントおよび／またはエンゲージメントエレメントからのディスエンゲージメントの際にキャビティー内へ本質的に屈曲することができる。有利に、ラックが屈曲するとともに、キャビティー内のエラストマー材料はバインディングシステムのエンゲージメント／ディスエンゲージメントを許容するために圧縮される。有利に、エラストマー材料は、キャビティーが、ブーツグリッピングエレメントの屈曲を防ぐ、望まれない外来物質で満たされるようになるのを防ぐ。
【００２５】
好ましくは、バインディングシステムは、少なくとも１つのバインディングリリース機構を含む。  好ましくはある特定のあるいは各エンゲージメントエレメントは、それぞれ必要に応じ、バインディングシステムを解放するのに操作可能なバインディングリリース機構を含む。好ましくは、リリース機構はラックからエンゲージメントバーを離すように操作可能である。好ましくは、バインディングリリース機構は、レバーリングメンバーを含み、該レバーリングメンバーは、好ましくは、エンゲージメントエレメントにピボット可能にリンクされる。好ましくは、レバーリングメンバーはレバーであり、好ましくは、これが柔軟な場合には、ブーツグリッピングエレメントと、またはこれが柔軟な場合にはエンゲージメントエレメントと、噛み合わせるように操作可能である。好ましい実施態様では、ブーツグリッピングエレメントは柔軟である。したがって、レバーリングメンバーは前記柔軟なブーツグリッピングエレメントと噛み合う。好ましくは、レバーリングメンバーはピボット可能に隣接するエンゲージメントバーに支持され、およびユーザーからのレバーの第１の端への下方への圧力の適用により、旋回回転を引き起こし、レバーリングメンバーの第２の端がブーツグリッピングエレメントと噛み合う。
【００２６】
有利に、レバーリングメンバーがブーツグリッピングエレメントと噛み合うとともに、前記エレメントは屈曲し、それによりエンゲージメントエレメントからブーツグリッピングエレメントを離す。有利に、レバーへの下方への圧力の適用は、ラチェットラックからエンゲージメントバーを離し、同時に上方へブーツを動かし、スノーボードバインディングからブーツはずす、２重の目的に役立つ。
【００２７】
好ましい実施態様の中で、バインディングリリース機構は、本質的にバインディングシステムとは離れて置かれ、遠隔作動させることができる。好ましくは、遠隔のバインディングリリース機構は、ある特定のあるいは各ブーツグリッピングエレメントから、好ましくは同時に、ある特定のあるいは各エンゲージメントエレメントのエンゲージメントを放すように操作可能である。好ましくは、離れて置かれたバインディングリリース機構が使用され、エンゲージメントエレメントは、本質的に強剛なエンゲージングメンバーを含み、それは標準状態の下でブーツグリッピングエレメントを噛み合わせ、さらに、好ましくは十分に弾力があり、ユーザからのディスエンゲージメント力の適用の際にブーツグリッピングエレメントから離れるように操作可能である。
【００２８】
好ましくは、リリース機構は引っ張り手段を含み、それはより好ましくは、最初と第２の末端を有するケーブルを含む。好ましくは、ディスエンゲージメント力をケーブルによってエンゲージメントエレメントに適用することができる。好ましくは、ケーブルの第１の端がエンゲージメントエレメントの後部に確保され、第２の端へ力を適用すると、ラックからエンゲージメントバーが引かれ、はずされる。別法としてあるいはさらに、ケーブルの第１の端をブーツグリッピングエレメントに付着させ、第２の端への力の適用がラックを引き、エンゲージメントバーからはずれるようにしてもよい。
【００２９】
好ましくは、エンゲージメントエレメントは、エンゲージメントバーから離れて伸びるフランジを含み、該フランジは好ましくは本質的にエンゲージングメンバーに垂直に伸びるスロットを有する。好ましくは、ケーブルの第１の端は、強剛なロッドを含み、該ロッドは、フランジ中の前記スロットを通る。好ましくは、ケーブルの第２の端はブーツの上に置かれ、好ましくはバインディングシステムより本質的により高い位置のブーツ上部にある。より具体的には、リリース機構は、ラチェットより高いブーツの上部に位置する。好ましくは、ケーブルは、ブーツ内に本質的に含まれている。
【００３０】
好ましくは、バインディングリリース機構はブーツの後ろに位置する。好ましくは、バインディングリリース機構は足首の上に位置する。好ましくは、ケーブルの第２の端はハンドル手段を含む。好ましくは該手段は、ブーツの後ろに提供され、それにより、ハンドルはブーツの後ろの異なる高さで維持されることができる。好ましくは、前記手段は、ブーツの後部と離れておかれた、垂直に配置された複数のフッキング手段を含み、その上にハンドルを固定することができる。
【００３１】
好ましくは、ブーツは、さらにブーツのリーンを調節する手段を含む。好ましくは前記調節手段は上部ヒールセクション、および下部ヒールセクションを有し、上部ヒールセクション、および下部ヒールセクションの相対的な位置が、調整可能であり、好ましくはヒンジの周囲に、調整可能である。好ましくは調節はラチェットによって操作可能であり、該ラチェットは、好ましくはブーツ受容プレートに、本質的に垂直な平面のまわりに調節可能であり、それにより上部および下部ヒールセクションの相対的なポジショニングを許容し、かつ従って、ブーツのリーンをヒンジの周りで変える。
【００３２】
好ましくは、ラチェットは、各々補足的な表面を有する第１と第２ラックを含む。好ましくは、第１のラックは、上部のヒールセクションの後ろに提供され、好ましくは、そこから外側へ伸びる、ねじきりされたシャンクを含む。好ましくは、第２のラックは、それを通って伸びる伸張されたスロットを有し、該スロットは前記シャンクを収納することができる。好ましくは、第２のラックはスロットを通してシャンクを通すことにより複数の伝達位置で第１のラックに確保されるように操作可能である。好ましくは、第２のシャンクのより低い領域はフッキング手段を含み、該手段は下部ヒールセクションの高い領域でそのフッキング手段に対応する傾斜したフッキング手段を噛み合わせる。
【００３３】
明の別の態様によれば、ブーツを、ブーツ受容プレートにバインディングする方法を提供し、該方法は以下の工程を含む：
（ｉ）第１の態様によるバインディングシステムを提供すること；
（ｉｉ）ブーツを、ある特定のあるいは各ブーツグリッピングエレメントがある特定のあるいは各対応するエンゲージングエレメントによって噛み合わせられるように配置すること；そして
（ｉｉｉ）ある特定のあるいは各ブーツエンゲイジエレメントが、ある特定のあるいは各ブーツグリッピングエレメントと所定の位置でロックするまで、ブーツ受容プレートの方へブーツを下へ押すこと、そこでは多数のロック位置が、ブーツ受容プレートの上の異なる高さで前記下方への移動の間に提供される。
【００３４】
本発明の第３の態様によれば、ブーツ受容プレートからブーツを解放する方法が提供され、該方法は以下の工程を含む：
（ｉ）システムが遠隔のリリース機構をさらに含み、該機構はある特定のあるいは各エンゲージメントエレメントに付けられた引っ張り手段を含む第１の態様にかかるバインディングシステムを提供すること；
そして
（ｉｉ）  引っ張り手段を引き、ある特定のあるいは各エンゲージメントエレメントがブーツグリッピングエレメントからはずれ、それによりブーツがバインディングシステムから取り除かれることを許容されるようにすること。
【００３５】
ここに記述された特徴のすべては、任意の組み合わせで、上記のすべての態様と組み合わせることができる。
発明についてのよりよい理解のために、そしてどのような実施態様が効果があるかを、例示および図により示す。
図１は、バインディングシステムの第１の実施態様の透視図である；
図２は、図１の中で示されるようなバインディングシステムのラチェット機構の分解組み立て透視図である；
図３は、図２の中で示されるようなラチェット機構の分解組み立て図の概要の端面図である；
図４ｃから図４ａは、エンゲージメントの段階中のバインディングシステムの概要の端面図である；
図５は、バインディングシステムのリリースプロセスの概要の端面図である；
図６は、バインディングシステムとのエンゲージメントに入るブーツの概要の側面図である；
図７は、図６に示されるブーツのエンドの分解組み立て透視図である；
図８は、バインディングシステムの別の実施態様のリリース機構の分解組み立て透視図である；
図９ａおよび図９ｂは、使用中の図８の中で示されるリリース機構の概要の端面図である；
図１０は、バインディングシステムの第２の実施態様の概要の側面図である；
図１１は、図１０の中で示されるバインディングシステムの調節アセンブリーについての概要の分解組み立て図である；
図１２は使用中のバインディングシステムの概要の側面図である；
図１３は、図１０〜１２の中で示されるブーツの後部の分解組み立て透視図である；
図１４は、バインディングシステムの第３の実施態様についての分解組み立て図である；
また、図１５は、図１４の中で示される実施態様の分解組み立て透視図である。
【００３６】
図１には、スノーボード５に確保される前のブーツ２（それはスノーボーダーによって着用されている）が示される。固定は、ブーツ２の各側でスノーボード上で存在するラチェット３、およびスノーボード５にそれ自体堅く付けられるバインディングベースの上に存在するエンゲージングメンバー６のコ−エンゲージメントによって達成される。
【００３７】
図１の中で示される実施態様は、ブーツを置き／固定するバインディングベース４の正面の方へ位置したフック８を有する。他の実施態様では、この置き／固定するフック８は、バインディングベース４のまわりの代替位置に位置することができる。しかしながら、最も実際的で、したがってブーツのための共通のブーツ置き／固定フック８の位置は、バインディングベースの正面、後部および横である。この配置の利点のうちの１つは、使用中にスノーボード５をターンまたはカーブのために力が加えられる力が適用される場所であるので、それがライダーのトウアンドヒールに関する、支持およびコントロールのを向上するということである。したがって、この配置は、運動中にライダーのボード５の明白な反応およびボード５に対するコントロールを向上させる。
【００３８】
図２には、ブーツ２の１つの側のより低い部分の部分的断面の分解組み立て図を示される。それは、スクリュー１４によってポイント１３でブーツ２の基礎へしっかりと付けられているラチェット３を図示する。ラチェット機構３は柔軟で、多くの、水平に配置された、そこから外側へ伸びる空間的に離れた歯３ａを有するタフなラチェットバーから成る。かみ合いキャビティー３ｂは歯３ａの各々の間に伸びる。ラチェットバーおよび歯３ａはプラスチック、金属などから製造される。ラチェット３は、さらにラチェットバーおよび歯３ａの後ろのキャビティーか空所を含む。このスペースは圧縮可能な材料１０、例えばエラストマー配合物、たとえば、シリコーンで充填される。
【００３９】
エンゲージングメンバー６は、バインディングベース４から上に本質的に垂直に伸びる２つの側板１９に結合し、本質的に水平に伸びる噛み合わせバー１５から成る。リリースアーム１６は噛み合わせバー１５に隣接し、側板１９の間に支持される。リリースアーム１６はピボット１８の周囲を回転可能である。
【００４０】
図３には、ブーツ２の下部セクションの横断面図であって、スノーボード５のバインディングベース４とのエンゲージメントに入る時の様子が示される。ボード５に関してのブーツ２の一般的な進行方向は、矢２２によって示され、すなわち下方である。バインディングベース４からのブーツ２のディスエンゲージメントが矢２２の反対方向、すなわち上方へ生じることは認識されるだろう。
【００４１】
図３には、旋回軸上に置かれたリリースアーム１６および噛み合わせバー１５の相対的なポジショニング、および使用されていない場合、どのようにしてそれがほぼ垂直に掛かっているかを明白に示す。リリースアーム１６の最下端はナッジングエッジ２０を含む。図４ａから図４ｃを参照すると、ブーツ２とスノーボード５バインディングの間のエンゲージメントの連続する段階が示される。ブーツ２が、バインディングプレート４へ矢２２の方向に下方へ押される時、柔軟なラチェット３、より明確には、最下部の歯３ａの下側は噛み合わせバー１５に噛み合う。さらに下方への移動に際して、ラチェット３は一般に上方向に曲げられ、そのために、ラチェット３とブーツ２の間のキャビティーの中にあるエラストマー材料１０を変形するか圧縮する。
【００４２】
柔軟なラチェット３上の歯３ａは、それによりブーツ２および従ってラチェット３がバインディングプレート４の方向にさらに動くことができなくなるまで、噛み合わせエレメント１５の噛み合わせエッジの上を通る。このポイントでは、エラストマー材料１０に貯蔵されたエネルギーは、弾性的反発をラチェット３にもたらし、エレメント１５がラチェット３のメッシングキャビティー３ｂのうちの１つと噛み合う。図４ｃに示されるように、エレメント１５とラチェット３が噛み合わせ位置にあり、すなわち、ブーツ２の基礎がスノーボード５上に十分に押し下げられ、それがバインディングフーレート４に接することが、通常であろう。別法として、妨害材料１００（例えば雪、氷、汚れ）などが、ブーツ５の基礎とバインディングプレート４の間のスペースに留まるようになる場合、噛み合わせエレメント１５は、妨害する材料１００の量によってあらかじめ決定された高さで柔軟なラチェット３と噛み合うだろう。
【００４３】
図５には、リリースレバー１６の作動、およびスノーボード５バインディングからのブーツ２のリリースプロセスを図示するラチェット機構３のクローズアップが示される。バインディングからブーツ２を放し、従って柔軟なラチェット３からの噛み合わせバー１５のディスエンゲージメントを引き起こすために、リリースレバー１６は、矢２３によって示されるような方角、すなわち下方に一般に押される。この移動はリリースレバー１６のナッジングエッジ２０に、ピボット１８の周囲の回転、および一般に上方へ回転させ、それにより、柔軟なラチェット３の歯３ａと噛み合わせる。そうする際には、柔軟なラチェット３矢２４によって示された方角に押され、エラストマー材料１０を圧縮しする。リリースレバー１６の回転運動はさらに、矢２５によって一般に示された方角にブーツ２の上方へのバインディングからの排除を支援するために作用する。したがって、リリースレバー１６が柔軟なラチェット３から噛み合わせエレメント１５を離し、付随的にスノーボードバインディングからブーツ２を上方にはずすという２重の目的に役立つことは理解されるだろう。
【００４４】
図６および７には、ブーツ２がバインディングベース４の上に位置し確保されるメカニズムを示す。図７は、キャビティー２６、およびキャビティー２６を横切って横に伸びるバー９があるブーツ２のトウセクションを示す。ブーツ２がバインディングと噛み合わせるために位置するとともに、バー９は、固定フック８（矢３０の方向の）の真下に最初に引っ掛けられる。ブーツが矢２８によって示されるような方角に移動するとともに、バー９のまわりにフック８がフィットし、またキャビティー２６の方へ任意の障害物（例えば氷、雪、汚れなど）を押す。
【００４５】
図８には、バインディングからブーツ２のリリースプロセスのための代替実施態様が示される。これは、図１〜６の中で示されるリリースレバー１６の代わりに使用される。この実施態様の中で、一般に５２として示されるアセンブリーが側壁サポート３８を有し、これはバインディングベース４に結合し、これから一般に垂直に伸びる。柔軟な噛み合わせヘッドエレメント３３は、固定手段３２（例えばねじ）によって側壁サポート３８から一般に水平に横切って伸びる固定された固体ベール３４に結合される。固体ベール３４からヘッドエレメント３３を取はずし、両方を清浄にし、たとえば、代替的な剛性があるエレメント３３で置き換えることができる。例えば、これは体重の異なるライダーに適合するのに有用だろう。キットの一部として柔軟な噛み合わせヘッドエレメント３３を購入することは可能だろう。
【００４６】
ヘッドエレメント３３から横に伸びるものは、噛み合わせ突出３５であり、狭い噛み合わせチップ３５ａに向けて本質的に先細になる。チップ３５ａはラチェット機構３（つまりメッシングキャビティー３ｂ）の歯３ａの間に適合するように形作られる。突出３５の軸に交わりヘッドエレメント３３の中の伸張部はエロンゲイトスロット３９ａである。
【００４７】
使用中、柔軟な噛み合わせヘッド３５は、ケーブル３１の張力の下で矢９０の方向に前後に屈曲するように作ることができる。これは、スロット３９ａを通り抜けて、ヘッドエレメント３３の曲がったセクション３６におかれるケーブルアンカー３９によって柔軟なヘッド３３に間接的に付けられる。ケーブル３１は、ライダーがヘッドエレメント３３を後ろに引っ張り曲げて、そして従って、ラチェット３から噛み合わせ突出３５を離すことを可能にする。
【００４８】
図９ａおよび９ｂには、スノーボードバインディングのリリース機構の代替実施態様のオペレーションが示される。図９ａは、ラチェット３と噛み合わされた柔軟なヘッド３３の噛み合わせ突出３５を示し、それによりバインディングプレート４上の所定位置にブーツ２を、バインディングする。ケーブル３１は、矢４１（図９ｂ）によって示されるような方角にライダーによってほぼ上方へ引かれ、それによりケーブルアンカー３９は、固定された固体ベール３４のまわりの噛み合わせヘッド３３を曲げる。これは噛み合わせヘッド３５が引かれ、ラチェット３から離れることになり、はずされるブーツ２をバインディングプレート４から上方へ遠ざけることとなる。一旦ブーツ２がバインディングからはずされたならば、ライダーはケーブル３１をリリースし、噛み合わせヘッドエレメント３３がその最初の状態に屈曲することを許容する。
【００４９】
図１０には、そこに、ケーブル−プルアレングメント３１が、ブーツ２のハイヒールバック４２にどのように組み入れられるかが示される。柔軟なヒール３３およびケーブル３１がプルハンドル４３に連結され、該ハンドルは所望により異なる高さの固定リップ４４、６２で、ハイバック４２に取り付けられる。この配置は、リリース機構の深い雪の中での使用に適し、およびライダーによって、一般に容易にアクセスできる。
【００５０】
図１０および１２で見ることができるように、プルハンドル４３は、最初は、ハイヒールバック４２の固定リップ４４にある。矢６０の方向にハンドル４３を上方へ引くことは、ケーブル３１の中で張力を生み出す。それは、ケーブルラインアンカー３９に柔軟なヘッド３３の曲がったセクション３６を上方へ上げさせる。これは、ラチェット３から噛み合わせ突出３５を解放し、ブーツ２がバインディングから持ち上げられることを可能にする。
【００５１】
図１２には、バインディングのオープンポジションは、ヒールバック４２の上部の固定リップ６２に座るためにプルハンドル４３を固定することにより維持することができる。この位置では、ケーブル３１中の張力は、ヒールバック４２に対し、ハイバック４２のベースに位置するピボット５５の周りに、矢６１の方向へ回転する、前方向への望ましくない回転を引き起こすだろう。しかしながら、これは、ねじ切りされたねじ４６、調節要素４８、締めナット４５および低部アンクルサポート構造５０から成るリアヒールリーン調節アセンブリー４９によって防がれる。調節アセンブリー４９は、低部バインディングベース４に対するヒールバック４２のリーンの量を設定する。これは、使用中に、ライダーが様々なレベルのボードエッジコントロールのための、スノーボード５の上の様々な傾き位置を採用することを可能にする。
【００５２】
図１１および１３は、ヒールリーンバック調節アセンブリーのクローズアップを示し、ヒールバックのねじ切りされたねじ４６が調節要素４８のスロット６３を通って適合する方法を示す。これは、ヒールバツク４２のくぼみ５６に位置する締めナット４５によって次に適所に保持される。スロット６３は、上向き（矢９４）、または下向き（矢９６）に調節要素４８が調節されることを可能にする。
【００５３】
調節するアセンブリー４９のヒールバツク４２に沿った上または下方向へのスリップ／スライを防止するため、調節要素４８の背面に位置する一連の水平な溝６４は、ヒールバツクくぼみ５６のベース表面に位置する相対する一連の水平の溝５６とかみ合う。フック５３が調節要素４８のベースに提供され、これは低部アンクルサポート９８の曲がったくぼみ５４の上に引っ掛けられ、それにより、ヒールバック４２を、ヒールピボットスクリュー５５に関して矢１００あるいは１０２によって示された方角の回転に対して固定する。
【００５４】
図１４には、ケーブル３１がブーツ２を実際にどのように通り、柔軟なラチェットエレメント３に直接付けられるかを示す、スノーブーツ／ボードバインディング配置の３番めの実施態様が示される。これは、ブーツ２の一方の横の各ラチェットエレメント３の上部のフェイスに存在する曲がったセクション６６のまわりにケーブルアンカー３９を引っ掛けることにより達成される。ケーブル３１が矢６５の方向に引かれるときに、柔軟なラチェット３は、矢８２によって示されるようなブーツに対して上方および内側方向に引かれ、エラストマー材料１０を圧縮する。これは、噛み合わせバー１５からの柔軟なラチェットエレメント３のディスエンゲージメントに帰着する（図３を参照）。図は隠れたケーブル３１を点線で示し、より低い固定リップ４４上でのハンドル４３を点線で示し、上部の固定リツプ６２上にいる場合に実線で示す
【００５５】
図１５には、ブーツ２に実際に組み入れられたケーブル３１についての全体の図が示される。
【００５６】
リーダの注意は、本出願の明細書にと同時に、あるいはこれに先立ってファイルされ、すべての文献およびドキュメント、およびこの明細書に関連して検索可能に公開されているすべての文献およびドキュメントに向けられ、すべてのそのような文献およびドキュメントの内容はここに組込まれ、参照される。
【００５７】
この明細書（すべての請求項、要約および図を含む）に示された特徴のすべておよび（または）開示された任意の方法あるいはプロセスのステップのすべては、任意の組み合わせで組み合わせることができる。ただし、相互に排他的である、いくつかの特徴および／または工程を除く。
【００５８】
この明細書（すべての請求項、要約および図を含む）に示された特徴のそれぞれは、特段の記載のない限り、同様、等価、または類似の目的を達成できる均等なもので置き換えることができる。すなわち、特段の記載のない限り、開示されたそれぞれの態様は、等価または類似の一般的な態様の１つの例にすぎない。
【００５９】
本発明は示された実施態様の詳細に限定を受けるものではない。本発明はこの明細書（すべての請求項、要約および図を含む）に示された任意の新規なもの、新規な組み合わせ、または開示されたすべての方法またはプロセスの任意の新規な工程を包含する。
【図面の簡単な説明】
【００６０】
【図１】図１は、バインディングシステムの第１の実施態様の透視図である。
【図２】図２は、図１の中で示されるようなバインディングシステムのラチェット機構の分解組み立て透視図である。
【図３】図３は、図２の中で示されるようなラチェット機構の分解組み立て図の概要の端面図である。
【図４】図４ｃから図４ａは、エンゲージメントの段階中のバインディングシステムの概要の端面図である。
【図５】図５は、バインディングシステムのリリースプロセスの概要の端面図である。
【図６】図６は、バインディングシステムとのエンゲージメントに入るブーツの概要の側面図である。
【図７】図７は、図６に示されるブーツのエンドの分解組み立て透視図である。
【図８】図８は、バインディングシステムの別の実施態様のリリース機構の分解組み立て透視図である。
【図９】図９ａおよび図９ｂは、使用中の図８の中で示されるリリース機構の概要の端面図である。
【図１０】図１０は、バインディングシステムの第２の実施態様の概要の側面図である。
【図１１】図１１は、図１０の中で示されるバインディングシステムの調節アセンブリーについての概要の分解組み立て図である。
【図１２】図１２は使用中のバインディングシステムの概要の側面図である。
【図１３】図１３は、図１０〜１２の中で示されるブーツの後部の分解組み立て透視図である。
【図１４】図１４は、バインディングシステムの第３の実施態様についての分解組み立て図である。
【図１５】図１５は、図１４の中で示される実施態様の分解組み立て透視図である。
【国際公開パンフレット】
2004533291.tif 000003
2004533291.tif 000004
2004533291.tif 000005
2004533291.tif 000006
2004533291.tif 000007
2004533291.tif 000008
2004533291.tif 000009
2004533291.tif 000010
2004533291.tif 000011
2004533291.tif 000012
2004533291.tif 000013
2004533291.tif 000014
2004533291.tif 000015
2004533291.tif 000016
2004533291.tif 000017
2004533291.tif 000018
2004533291.tif 000019
2004533291.tif 000020
2004533291.tif 000021
2004533291.tif 000022
2004533291.tif 000023
2004533291.tif 000024
2004533291.tif 000025
2004533291.tif 000026
2004533291.tif 000027
2004533291.tif 000028
2004533291.tif 000029
2004533291.tif 000030
2004533291.tif 000031
2004533291.tif 000032
2004533291.tif 000033
2004533291.tif 000034
2004533291.tif 000035
2004533291.tif 000036
2004533291.tif 000037
2004533291.tif 000038
2004533291.tif 000039
2004533291.tif 000040
2004533291.tif 000041
2004533291.tif 000042
2004533291.tif 000043
2004533291.tif 000044
2004533291.tif 000045
2004533291.tif 000046
2004533291.tif 000047
2004533291.tif 000048
【国際調査報告】
2004533291.tif 000049
2004533291.tif 000050
2004533291.tif 000051